(57)【要約】【課題】買物メモを日常的に作成しやすく、かつ使いやすくする。【解決手段】スマートフォンは、電子レシート上に記載された商品情報をユーザ操作に応じて買物リストに登録することにより買物メモデータ１７２を作成する買物メモ作成部４２と、この買物メモ作成部４２により過去に作成された買物メモデータ１７２における買物リストへの登録実績の有無を商品情報毎に識別可能なように電子レシートを表示する表示処理部４１とを備える。【選択図】図４
2019071096.tif 000002
【特許請求の範囲】
【請求項１】
電子レシート情報が記憶されている記憶手段から前記電子レシート情報を読み出して電子レシートを表示画面に表示させる表示制御手段と、
前記表示制御手段により前記表示画面に表示された電子レシートに記載されている商品情報の何れかがユーザによる選択操作により選択された場合に当該選択された商品情報を買物リストに登録することにより、買物メモを作成する買物メモ作成手段と、
前記買物メモ作成手段により前記買物リストに登録された商品情報を前記電子レシートに対応付けて前記記憶手段に記憶させる管理手段と、を備え、
前記表示制御手段は、前記買物メモ作成手段により前記買物リストに登録された商品情報が対応付けられて前記管理手段により前記記憶手段に記憶された電子レシートを読み出した場合には、前記買物リストへの登録実績の有無が商品情報毎に識別可能なように前記電子レシートを前記表示画面に表示させる、ことを特徴とする買物支援システム。
【請求項２】
前記表示制御手段は、前記買物リストへの登録実績が有る商品情報については所定のマークを商品名称に並べて表示することにより、前記買物リストへの登録実績の有無を識別させる、ことを特徴とする請求項１に記載の買物支援システム。
【請求項３】
前記表示制御手段は、前記所定のマークを、買物リストへの登録候補として選択されている商品情報を識別するためのマークとは異なるマークで表示する、ことを特徴とする請求項２に記載の買物支援システム。
【請求項４】
前記表示制御手段は、前記所定のマークを表示する際は、対応する商品情報が買物リストに登録された日付情報とともに表示する、ことを特徴とする請求項２または請求項３に記載の買物支援システム。
【請求項５】
前記買物メモの作成後に取得した新たな電子レシートに記載された商品情報と当該買物メモの買物リストに登録された商品情報とを比較して買物残リストを作成する買物残リスト作成手段を更に備える、ことを特徴とする請求項１ないし請求項４の何れか１項に記載の買物支援システム。
【請求項６】
前記買物残リスト作成手段は、前記買物残リストの作成後に取得した新たな電子レシートに記載された商品情報と当該買物残リストとを比較して新たな買物残リストを作成する、ことを特徴とする請求項５に記載の買物支援システム。
【請求項７】
前記表示制御手段は、前記表示画面における第１の領域に電子レシートの内容を表示し、前記表示画面における第２の領域に買物リストの内容を表示し、前記表示画面における第３の領域に各電子レシートに記載された商品情報の買物リストへの登録実績に応じた順番で各電子レシートをリスト表示する、ことを特徴とする請求項１ないし請求項６の何れか１項に記載の買物支援システム。
【請求項８】
前記表示制御手段は、各電子レシートに記載された商品情報の買物リストへの登録回数が識別可能なように各電子レシートをリスト表示する、ことを特徴とする請求項７に記載の買物支援システム。
【請求項９】
情報処理システムが実行する買物支援方法であって、
電子レシート情報が記憶されている記憶手段から前記電子レシート情報を読み出して電子レシートを表示画面に表示させる表示制御ステップと、
前記表示制御ステップで前記表示画面に表示された電子レシートに記載されている商品情報の何れかがユーザによる選択操作により選択された場合に当該選択された商品情報を買物リストに登録することにより、買物メモを作成する買物メモ作成ステップと、
前記買物メモ作成ステップで前記買物リストに登録された商品情報を前記電子レシートに対応付けて前記記憶手段に記憶させる管理ステップと、を有し、
前記表示制御ステップは、前記買物メモ作成ステップで前記買物リストに登録された商品情報が対応付けられて前記管理ステップで前記記憶手段に記憶された電子レシートを読み出した場合には、前記買物リストへの登録実績の有無が商品情報毎に識別可能なように前記電子レシートを前記表示画面に表示させる、ことを特徴とする買物支援方法。
【請求項１０】
コンピュータを、
電子レシート情報が記憶されている記憶手段から前記電子レシート情報を読み出して電子レシートを表示画面に表示させる表示制御手段、
前記表示制御手段により前記表示画面に表示された電子レシートに記載されている商品情報の何れかがユーザによる選択操作により選択された場合に当該選択された商品情報を買物リストに登録することにより、買物メモを作成する買物メモ作成手段、
前記買物メモ作成手段により前記買物リストに登録された商品情報を前記電子レシートに対応付けて前記記憶手段に記憶させる管理手段、として機能させ、
前記表示制御手段は、前記買物メモ作成手段により前記買物リストに登録された商品情報が対応付けられて前記管理手段により前記記憶手段に記憶された電子レシートを読み出した場合には、前記買物リストへの登録実績の有無が商品情報毎に識別可能なように前記電子レシートを前記表示画面に表示させる、ことを特徴とするプログラム。
【発明の詳細な説明】
【技術分野】
【０００１】
本発明は、買物支援システム、買物支援方法およびプログラムに関する。
【背景技術】
【０００２】
近年、ＰＯＳ（Point Of Sales）端末においてレシートの情報を電子データ化し、この電子データ化されたレシート情報を携帯端末やパソコンなどを利用して客が取得可能とすることにより、レシートの受け渡しを完了させる電子レシートシステムが提案されている。その一例としては、ＰＯＳ端末にて顧客の識別情報を取得すると共に、このＰＯＳ端末にて生成された電子レシート情報を顧客の識別情報に紐付けて、ネットワークを介して接続されたサーバのデータベースに蓄積するものがある。顧客は携帯端末またはパソコンから、顧客の識別情報を使ってサーバのデータベースにアクセスし、所望の電子レシート情報をダウンロードする。
【０００３】
電子レシートにより、家計簿を電子的かつ自動的に簿記でき、更に不要なレシートを受け取ることがないので、顧客にとって有益である。また、電子レシートの導入により、レシート用紙の消費を減らし、かつレシートを手渡す作業を簡略化できるので、導入店舗にとっても有益である。このような利点により、今後は電子レシートシステムの導入が進められるものと見込まれる。
【０００４】
ところで顧客は、店舗で買おうと思っていた商品の買い忘れを防止するため、買物リストを記録した買物メモを準備して店舗に持参し、この買物メモを見ながら買物をする場合がある。しかし、この買物メモを用いた方法は、買物リストを手書きで作成しているため煩雑である。そこで、このような問題を解決するため、電子レシートを参照して買物リストを作成することが考えられる。
【０００５】
特許文献１の課題には、「電子レシートシステムに対応した携帯端末だけを利用して過去の購買履歴を基に買物リストを作成する。」と記載され、解決手段には、「携帯端末は、電子化された買物リスト情報を記憶する。電子化されたレシート情報を受信すると、このレシート情報と記憶部に記憶した買物リスト情報とを照合する。そして、買物リスト情報には存在するがレシート情報には存在しない商品を不足商品として抽出し表示して警告する。」と記載されている。
【先行技術文献】
【特許文献】
【０００６】
【特許文献１】特開２００９−５９１７３号公報
【発明の概要】
【発明が解決しようとする課題】
【０００７】
顧客は、買物を日常的に繰り返す。しかし、特許文献１の発明は、単発的に買物メモを作成することしか想定されていないため、買物メモの作成手順が煩雑であり、手書きのメモに対する優位性が明確ではない。
また、顧客は買物において、或る程度の許容範囲をもって商品を選択するものである。例えば同一種類の商品であればメーカを問わない、または同一カテゴリの商品であれば商品種別を問わない、などである。しかし、特許文献１の発明では、このような場合については何ら言及されておらず、機械的に買物メモと電子レシートを比較して不足商品を警告する。よって、顧客が買物メモに登録した商品とは異なる代替商品を購入したときであっても、この商品は不足商品として警告されてしまい、やや使いにくいものとなっている。
そこで、本発明は、買物メモを日常的に作成しやすく、かつ使いやすくすることを課題とする。
【課題を解決するための手段】
【０００８】
上記目的を達成するため、本発明に係る買物支援システムは、電子レシート情報が記憶されている記憶手段から前記電子レシート情報を読み出して電子レシートを表示画面に表示させる表示制御手段と、前記表示制御手段により前記表示画面に表示された電子レシートに記載されている商品情報の何れかがユーザによる選択操作により選択された場合に当該選択された商品情報を買物リストに登録することにより、買物メモを作成する買物メモ作成手段と、前記買物メモ作成手段により前記買物リストに登録された商品情報を前記電子レシートに対応付けて前記記憶手段に記憶させる管理手段と、を備え、前記表示制御手段は、前記買物メモ作成手段により前記買物リストに登録された商品情報が対応付けられて前記管理手段により前記記憶手段に記憶された電子レシートを読み出した場合には、前記買物リストへの登録実績の有無が商品情報毎に識別可能なように前記電子レシートを前記表示画面に表示させる、ことを特徴とする。
また、本発明に係る買物支援方法は、情報処理システムが実行する買物支援方法であって、電子レシート情報が記憶されている記憶手段から前記電子レシート情報を読み出して電子レシートを表示画面に表示させる表示制御ステップと、前記表示制御ステップで前記表示画面に表示された電子レシートに記載されている商品情報の何れかがユーザによる選択操作により選択された場合に当該選択された商品情報を買物リストに登録することにより、買物メモを作成する買物メモ作成ステップと、前記買物メモ作成ステップで前記買物リストに登録された商品情報を前記電子レシートに対応付けて前記記憶手段に記憶させる管理ステップと、を有し、前記表示制御ステップは、前記買物メモ作成ステップで前記買物リストに登録された商品情報が対応付けられて前記管理ステップで前記記憶手段に記憶された電子レシートを読み出した場合には、前記買物リストへの登録実績の有無が商品情報毎に識別可能なように前記電子レシートを前記表示画面に表示させる、ことを特徴とする。
また、本発明に係るプログラムは、コンピュータを、電子レシート情報が記憶されている記憶手段から前記電子レシート情報を読み出して電子レシートを表示画面に表示させる表示制御手段、前記表示制御手段により前記表示画面に表示された電子レシートに記載されている商品情報の何れかがユーザによる選択操作により選択された場合に当該選択された商品情報を買物リストに登録することにより、買物メモを作成する買物メモ作成手段、前記買物メモ作成手段により前記買物リストに登録された商品情報を前記電子レシートに対応付けて前記記憶手段に記憶させる管理手段、として機能させ、前記表示制御手段は、前記買物メモ作成手段により前記買物リストに登録された商品情報が対応付けられて前記管理手段により前記記憶手段に記憶された電子レシートを読み出した場合には、前記買物リストへの登録実績の有無が商品情報毎に識別可能なように前記電子レシートを前記表示画面に表示させる、ことを特徴とする。
【発明の効果】
【０００９】
本発明によれば、買物メモを日常的に作成しやすく、かつ使いやすくすることができる。
【図面の簡単な説明】
【００１０】
【図１】本実施形態における電子レシートシステムの概略を示す構成図である。
【図２】スマートフォンの構成図である。
【図３】電子レシートの発行を説明するシーケンス図である。
【図４】電子レシートシステムの論理構成図である。
【図５】電子レシートデータベースを示す図である。
【図６】電子レシート参照履歴を示す図である。
【図７】買物リスト登録履歴を示す図である。
【図８】買物メモデータを示す図である。
【図９】買物メモアプリの初期画面を示す図である。
【図１０】買物メモアプリの新規作成画面の初期状態を示す図である。
【図１１】買物メモアプリの新規作成画面の買物メモへの商品登録後の状態を示す図である。
【図１２】買物メモアプリの買物チェック画面を示す図である。
【図１３】買物メモアプリの買物メモ画面を示す図である。
【図１４】買物メモアプリの買物メモ比較画面を示す図である。
【図１５】買物メモアプリの買物メモ残リスト画面を示す図である。
【図１６】買物メモアプリのモード遷移図である。
【図１７】買物残リスト更新処理のフローチャートである。
【発明を実施するための形態】
【００１１】
以降、本発明を実施するための形態を、各図を参照して詳細に説明する。
図１は、本実施形態における電子レシートシステム９の概略を示す構成図である。
決済端末であるＰＯＳ端末２−１，２−２は、各店舗に設置されており、それぞれ商品マスタ２１を格納している。ＰＯＳ端末２−１，２−２は、ネットワーク８を介してサーバ３に接続されている。なお、ＰＯＳ端末２−１，２−２は２台に限らず、商品マスタ２１は、ＰＯＳ端末２−１，２−２が参照可能なサーバなどに格納されてもよい。以下、ＰＯＳ端末２−１，２−２を特に区別しないときには、単にＰＯＳ端末２と記載する。このＰＯＳ端末２は、決済された商取引内容を示すレシート情報を電子化した電子レシートの作成機能を有している。
【００１２】
公衆通信網であるネットワーク８には、ＰＯＳ端末２−１，２−２と、サーバ３と、スマートフォン１とが接続されている。
サーバ３は、ＰＯＳ端末２で作成された電子レシートを記録する電子レシートデータベース３１を格納している。また、サーバ３は、ＰＯＳ端末２で生成された電子レシートを電子レシートデータベース３１に保存し、ネットワーク８を利用してスマートフォン１に送信する。電子レシートデータベース３１は、後記する図５で詳細に説明する。
【００１３】
スマートフォン１は、電子レシート参照履歴１７１と、複数の買物メモデータ１７２と、買物残リスト１７３と、買物リスト登録履歴１７４と、を格納している。スマートフォン１は、商取引の決済時などにＰＯＳ端末２に識別情報を認識させ、ＰＯＳ端末２は、この商取引に関わる電子レシートと識別情報とを関連づけてサーバ３に格納する。スマートフォン１は、例えばネットワーク８に接続可能な携帯端末であり、サーバ３にアクセスして、この識別情報で識別される電子レシートをサーバ３から選択的にダウンロードする機能を有している。電子レシート参照履歴１７１には、これら電子レシートを参照した履歴が格納される。
【００１４】
またスマートフォン１は、電子化された買物メモデータ１７２を作成・記録・閲覧可能である。スマートフォン１は更に、サーバ３からネットワーク８を介してダウンロードした電子レシート、すなわち電子化されたレシート情報と買物メモデータ１７２の買物リスト情報とを照合し、買物残リスト１７３を作成して表示する機能を有している。買物リスト登録履歴１７４には、これら買物メモデータ１７２の買物リストに登録された履歴が格納される。
このサーバ３とスマートフォン１は協働して、買物支援装置として動作する。
【００１５】
図２は、スマートフォン１の構成図である。
スマートフォン１は、ＣＰＵ（Central Processing Unit）１１、ＲＯＭ（Read Only Memory）１２，ＲＡＭ（Random Access Memory）１３、スピーカ１４、タッチパネル１５、無線通信部１６、記憶部１７、電源部１８などで構成されている。
【００１６】
ＣＰＵ１１は、制御部本体を構成する。ＲＯＭ１２は、各種のプログラムやデータなどが記録される不揮発性の領域である。ＲＡＭ１３は、各種データを演算などのために一時的に記憶するための領域である。
スピーカ１４は、警告音などを発する報知手段である。タッチパネル１５は、電子レシートや買物メモの閲覧画面を各操作ボタンと共に表示し、これら操作ボタンのタップを検知して操作情報を受け付ける。無線通信部１６は、ネットワーク８を介してサーバ３と通信を行う。記憶部１７は、例えばフラッシュメモリなどで構成され、電子レシート参照履歴１７１と、複数の買物メモデータ１７２と、買物残リスト１７３と、買物リスト登録履歴１７４とを格納している。電子レシート参照履歴１７１は、後記する図６で説明する。買物メモデータ１７２は、後記する図８で説明する。買物リスト登録履歴１７４は、後記する図７で説明する。
電源部１８は、スマートフォン１の各部に電力を供給する。
【００１７】
記憶部１７には、電子レシートをタッチパネル１５で閲覧するための電子レシート対応プログラムの他、買物メモ管理プログラムがインストールされている。電子レシート対応プログラムは、商取引の決済後に生成される電子レシートをサーバ３からスマートフォン１が受け取るためのプログラムである。買物メモ管理プログラムは、買物メモの作成およびその管理を行うためのプログラムである。これらのプログラムは、例えばネットワーク８を介して記憶部１７にダウンロードすることができる。
【００１８】
図３は、電子レシートの発行を説明するシーケンス図である。
シーケンスＱ１０〜Ｑ１２は、ＰＯＳ端末２−１が設置された店舗にて、スマートフォン１のユーザが商取引の決済を行った例を示している。
スマートフォン１は、商取引の決済時などに、タッチパネル１５にＱＲコード（登録商標）を表示して、ＰＯＳ端末２−１に識別情報を認識させる（シーケンスＱ１０）。
ＰＯＳ端末２−１は、この商取引に関わる電子レシート情報と、スマートフォン１の識別情報とを関連づけてサーバ３に送信する（シーケンスＱ１１）。サーバ３は、この電子レシート情報を識別情報に関連付けて、電子レシートデータベース３１に格納する（シーケンスＱ１２）。
【００１９】
シーケンスＱ２０〜Ｑ２２は、スマートフォン１のユーザがＰＯＳ端末２−２が設置された他の店舗にて、商取引の決済を行った例を示しており、シーケンスＱ１０〜Ｑ１２と同様である。
【００２０】
その次に示すシーケンスＱ３０〜Ｑ３３は、スマートフォン１が電子レシートをダウンロードして閲覧する例である。
スマートフォン１は、サーバ３に対して電子レシート情報の参照要求を送信する（シーケンスＱ３０）。このときスマートフォン１は、このスマートフォン１の識別情報により識別される電子レシートを要求する。
サーバ３は、この識別情報により識別される電子レシート情報を、スマートフォン１に選択的に送信する（シーケンスＱ３１）。スマートフォン１は、送信された電子レシート情報を表示し（シーケンスＱ３２）、電子レシート参照履歴１７１を更新する。更にスマートフォン１は、電子レシート上の商品が買物メモに登録されると（シーケンスＱ３３）、買物リスト登録履歴１７４を更新する（シーケンスＱ３４）。
【００２１】
図４は、電子レシートシステム９の論理構成図である。図４の二点鎖線は、スマートフォン１の内部に具現化された各部を示している。スマートフォン１内のプログラムにより、表示処理部４１と、買物メモ作成部４２と、買物残リスト作成部４３とが具現化される。
表示処理部４１は、電子レシートデータベース３１から送信された電子レシートのリスト情報を電子レシートリスト表示ペイン７１に表示し、電子レシート参照履歴１７１に記録する。表示処理部４１は更に、電子レシートデータベース３１から送信された各電子レシート情報を、電子レシート表示ペイン７２に表示する。表示処理部４１は、買物メモ作成部４２により過去に作成された買物メモにおける買物リストへの登録実績の有無を、商品情報毎に識別可能なように電子レシート表示ペイン７２に表示する。表示処理部４１は更に、作成中の買物メモにおける買物リストに、商品情報が登録されたか否かが商品情報毎に識別可能なように電子レシート表示ペイン７２を表示する、これにより顧客は、過去に買物リストに登録された商品を容易に識別して選択可能である。
【００２２】
買物メモ作成部４２は、電子レシート表示ペイン７２に記載された商品情報をユーザ操作に応じて買物メモ表示ペイン７３の買物リストに登録することにより、買物メモを作成する。買物メモ作成部４２は、買物リストに登録された商品情報を、買物リスト登録履歴１７４に記録する。
買物残リスト作成部４３は、新たな電子レシートと買物メモデータ１７２とを比較して、買物残リスト１７３を作成し、この買物残リスト１７３を買物残リスト表示ペイン７６に表示する。これにより顧客は、買い忘れを容易に把握可能となる。
【００２３】
図５は、電子レシートデータベース３１を示す図である。
電子レシートデータベース３１は、各電子レシートの情報を格納する電子レシートリストデータベース３１１と、電子レシートの各購入商品の情報を格納する購入商品データベース３１２とが組み合わされたリレーショナルデータベースである。このように電子レシートリストデータベース３１１と購入商品データベース３１２とを組み合わせることにより、電子レシートリスト７１４を容易に表示可能であると共に、選択した電子レシート上の各商品を容易に表示可能である。
電子レシートリストデータベース３１１は、レシートＩＤ欄３１１ａ、顧客ＩＤ欄３１１ｂ、日時欄３１１ｃ、店舗欄３１１ｄ、担当欄３１１ｅなどを含んで構成される。
レシートＩＤ欄３１１ａには、この電子レシート自体の識別情報が格納される。
【００２４】
顧客ＩＤ欄３１１ｂには、この電子レシートに係る顧客の識別情報が格納される。電子レシートリストデータベース３１１を顧客の識別情報で絞り込むことにより、この顧客に係る各電子レシートを取得可能である。
日時欄３１１ｃには電子レシートが発行された日時情報が格納され、店舗欄３１１ｄには、この電子レシートを発行した店舗の名称が格納される。また担当欄３１１ｅには、この電子レシートに係る商取引を担当した店員の名称が格納される。
【００２５】
購入商品データベース３１２は、各購入商品に関する各種情報を格納するデータベースである。購入商品データベース３１２は、レシートＩＤ欄３１２ａ、ＩＤ欄３１２ｂ、商品分類欄３１２ｃ、メーカ欄３１２ｄ、商品名称欄３１２ｅ、サイズ欄３１２ｆ、価格欄３１２ｇなどを含んで構成される。
レシートＩＤ欄３１２ａには、この購入商品に係る電子レシートの識別情報が格納される。このレシートＩＤ欄３１２ａを、電子レシートの識別情報で絞り込むことにより、電子レシート上の各商品情報を取得可能である。
【００２６】
ＩＤ欄３１２ｂには購入商品の識別情報が格納され、商品分類欄３１２ｃには、この購入商品の商品分類が格納される。またメーカ欄３１２ｄには、この購入商品を製造したメーカ名が格納される。
商品名称欄３１２ｅには購入商品の商品名称が格納され、サイズ欄３１２ｆには、この購入商品のサイズ情報が格納される。また価格欄３１２ｇには、この購入商品の販売価格情報が格納される。
【００２７】
図６は、電子レシート参照履歴１７１を示す図である。
電子レシート参照履歴１７１には、顧客が各電子レシートを参照した履歴が格納されており、電子レシートＩＤ欄１７１ａ、参照日欄１７１ｂなどを含んで構成される。
電子レシートＩＤ欄１７１ａには、顧客が参照した電子レシートの識別情報が格納される。
参照日欄１７１ｂには、顧客が電子レシートを参照した日が格納される。
【００２８】
このように、電子レシートデータベース３１と電子レシート参照履歴１７１とを分離することにより、電子レシートデータベース３１の更新頻度を減らして、サーバ３の負荷を分散できる。また、スマートフォン１が電子レシートデータベース３１を更新可能な場合には、スマートフォン１の不具合により、電子レシートデータベース３１のデータ不整合などを引き起こすおそれがある。電子レシートデータベース３１と電子レシート参照履歴１７１とを分離し、スマートフォン１が電子レシート参照履歴１７１のみを更新することにより、電子レシートデータベース３１のデータ不整合を未然に防ぐことができる。
【００２９】
図７は、買物リスト登録履歴１７４を示す図である。
買物リスト登録履歴１７４には、顧客が電子レシート上の商品情報を買物リストに登録した履歴が格納されており、電子レシートＩＤ欄１７４ａ、ＩＤ欄１７４ｂ、登録日欄１７４ｃなどを含んで構成される。
電子レシートＩＤ欄１７４ａには、顧客が商品情報を買物リストに登録したときの電子レシートの識別情報が格納される。
ＩＤ欄１７４ｂには、顧客が買物リストに登録した商品の識別情報が格納される。
登録日欄１７４ｃには、この商品を顧客が買物リストに登録したときの日時が格納される。
【００３０】
このように、電子レシートデータベース３１と買物リスト登録履歴１７４とを分離することにより、電子レシートデータベース３１の更新頻度を減らして、サーバ３の負荷を分散できる。また、スマートフォン１が電子レシートデータベース３１を更新可能な場合には、スマートフォン１の不具合により、電子レシートデータベース３１のデータ不整合などを引き起こすおそれがある。電子レシートデータベース３１と買物リスト登録履歴１７４とを分離し、スマートフォン１が買物リスト登録履歴１７４のみを更新することにより、電子レシートデータベース３１のデータ不整合を未然に防ぐことができる。
【００３１】
図８は、買物メモデータ１７２を示す図である。
買物メモデータ１７２は、顧客が買い忘れを防止するための備忘録であり、電子レシート上の商品の選択によって作成される。この買物メモデータ１７２は、買物メモリストデータ１７２１と買物メモ商品データ１７２２とが組み合わされたリレーショナルデータベースである。このように買物メモリストデータ１７２１と買物メモ商品データ１７２２とを組み合わせることにより、買物メモのリストを容易に表示可能であると共に、選択した買物メモ上の各商品を容易に表示可能である。
買物メモリストデータ１７２１は、買物メモＩＤ欄１７２ａ、買物メモ名称欄１７２ｂ、作成日欄１７２ｃを含んで構成される。
買物メモＩＤ欄１７２ａには、この買物メモの識別情報が格納される。買物メモの識別情報に基づいて買物メモ商品データ１７２２を絞り込むことにより、この買物メモを構成する各商品を取得可能である。
買物メモ名称欄１７２ｂには買物メモの名称が格納され、デフォルトは年月日と追番とで構成される。また作成日欄１７２ｃには、この買物メモを作成した日付が格納される。
【００３２】
買物メモ商品データ１７２２は、選択された商品に係るデータであり、買物メモＩＤ欄１７２ｄ、レシートＩＤ欄１７２ｅ、ＩＤ欄１７２ｆ、商品分類欄１７２ｇ、メーカ欄１７２ｈ、商品名称欄１７２ｉ、サイズ欄１７２ｊ、価格欄１７２ｋを含んで構成される。
買物メモＩＤ欄１７２ｄには、この買物メモの識別情報が格納される。レシートＩＤ欄１７２ｅには、選択元である電子レシートの識別情報が格納される。
ＩＤ欄１７２ｆには選択された商品の識別情報が格納され、商品分類欄１７２ｇには、選択された商品に係る商品分類が格納される。またメーカ欄１７２ｈには、選択された商品を製造／販売したメータ名が格納される。
商品名称欄１７２ｉには選択された商品の名称が格納され、サイズ欄１７２ｊには、選択された商品のサイズが格納される。また価格欄１７２ｋには、選択された商品の販売価格が格納される。
【００３３】
図９は、買物メモアプリの初期画面５０を示す図である。
買物メモアプリを起動すると、スマートフォン１のタッチパネル１５には初期画面５０が表示される。初期画面５０には、新規作成ボタン５０１と、買物チェックボタン５０２とが表示され、更に最下部に終了ボタン５９が表示される。この終了ボタン５９のタップにより、現在実行中のアプリケーションプログラムが終了する。この終了ボタン５９の機能は、表示画面によらず同一である。
新規作成ボタン５０１は、図１０に示す買物メモの新規作成画面５１に遷移するボタンである。
買物チェックボタン５０２は、図１２に示す買物チェック画面５２に遷移するボタンである。買物チェックボタン５０２のタップにより、作成した買物メモにより買い忘れをチェックする画面に遷移する。
【００３４】
図１０は、買物メモアプリの新規作成画面５１の初期状態を示す図である。
新規作成画面５１は、買物メモを新規に作成するための画面であり、電子レシートリスト表示ペイン７１と、電子レシート表示ペイン７２と、買物メモ表示ペイン７３と、終了ボタン５９とを含んで構成される。
電子レシートリスト表示ペイン７１は、電子レシートをリスト形式で表示するペインであり、日付順ボタン７１１と、店舗ごとボタン７１２と、登録実績ボタン７１３とを表示し、かつ、これらの下に電子レシートリスト７１４を表示している。電子レシートリスト表示ペイン７１の電子レシートリスト７１４は、上下方向のスライド操作によりスクロールさせることが可能である。図１０にて電子レシートリスト７１４には、スクロールバーが表示されている。電子レシートリスト７１４には、過去の買物リストへの登録回数が既登録マーク７１５の大きさや数によって識別可能なように表示されている。この図１０の電子レシートリスト７１４では、例えば２０１５年４月１日のスーパーＰＱＲの電子レシードに２個の既登録マーク７１５が付与されており、過去の買物リストへの登録回数が２回であることを示している。
【００３５】
日付順ボタン７１１は、電子レシートリスト７１４を日付順に並び替えて表示させるボタンである。これにより顧客は、直近の電子レシートを容易に参照することができる。また店舗ごとボタン７１２は、電子レシートリスト７１４を店舗ごとに並び替えて表示させるボタンである。これにより顧客は、所望の店舗にかかる電子レシートを容易に参照することができる。
【００３６】
登録実績ボタン７１３は、電子レシートリスト７１４を登録実績が多い順に並び替えて表示させるボタンである。これにより顧客は、登録実績が多い電子レシートを容易に参照することができる。顧客は、登録実績が多い電子レシートを繰り返し参照して、繰り返し買物メモを作成することが多いためである。
【００３７】
電子レシート表示ペイン７２は、個々の電子レシートの内容を表示するペインであり、電子レシートリスト表示ペイン７１にて顧客が選択した電子レシートについて、その内容が表示される。電子レシートには、店舗名称と、購入した商品、サイズまたは数量、購入価格などと、小計、消費税額、合計、日時、担当者名などが表示される。電子レシート表示ペイン７２に表示された各商品は、顧客がタップにより選択可能であり、この商品のリストは上下方向のスライド操作によりスクロールさせることが可能である。
また、過去に別の買物リストを作成した際に登録実績のある商品については、電子レシート側に既登録マーク７２１が重畳表示される。この既登録マーク７２１の近傍には、買物リストに登録された月日が表示されている。顧客は、この既登録マーク７２１が付与された商品を重点的に見ることにより、効率的に買物メモを作成可能である。また顧客は、買物リストに登録された月日の表示により、例えば消耗品ならば、再度の購入が必要か否かを容易に判断可能である。これにより、買物メモを日常的に作成しやすくすることができる。
【００３８】
買物メモ表示ペイン７３は、買物メモを構成する買物リストを表示するペインであり、買物リストと、追加ボタン７３１、削除ボタン７３２、確定ボタン７３３、戻るボタン７３４を含んで構成される。買物メモ表示ペイン７３に登録された買物リストの各商品は、顧客がタップにより選択可能であり、この買物リストは、上下方向のスライド操作によりスクロールさせることが可能である。
【００３９】
追加ボタン７３１は、電子レシート上の商品情報を、この買物リストに追加するためのボタンである。追加ボタン７３１は、顧客によってタップされると点灯して追加モードに遷移したことを表示する。この追加ボタン７３１点灯時に顧客が電子レシート上の商品情報をタップすると、電子レシート上の商品情報が買物リストに追加され、顧客が追加ボタン７３１を再びタップすると、この追加ボタン７３１が消灯して追加モードが終了する。なお、追加ボタン７３１によらず、顧客が電子レシート上の商品名称をダブルタップしても買物リストに追加される。更に電子レシート上の商品名称を買物リストにドラックしても、この買物リストに追加される。また、これに限られず、顧客が電子レシート上の商品情報をタップして選択したのち、追加ボタン７３１のタッブにより買物リストに追加するように実装してもよく、限定されない。
削除ボタン７３２は、買物リスト上の商品情報を削除するためのボタンである。削除ボタン７３２は、顧客によってタップされると点灯して削除モードに遷移したことを表示する。この削除ボタン７３２点灯時に顧客が買物リスト上の商品情報をタップすると、買物リスト上の商品情報が削除され、顧客が削除ボタン７３２を再びタップすると、この削除ボタン７３２が消灯して削除モードが終了する。追加ボタン７３１点灯時に顧客が削除ボタン７３２をタップすると、追加ボタン７３１が消灯して削除ボタン７３２が消灯する。削除ボタン７３２点灯時に顧客が追加ボタン７３１をタップすると、削除ボタン７３２が消灯して追加ボタン７３１が消灯する。
また、これに限られず、顧客が買物リスト上の商品情報をタップして選択したのち、削除ボタン７３２のタッブにより買物リストから買物リスト上の商品情報を削除するように実装してもよく、限定されない。
確定ボタン７３３は、作成中の買物メモの内容を確定して、図９に示した初期画面５０に戻るためのボタンである。また戻るボタン７３４は、買物メモへの操作を取り消して、図９に示した初期画面５０に戻るためのボタンである。
顧客は、電子レシート上に表示される商品情報のタップ（選択）により買物メモを作成するので、ゼロから商品情報を入力することに比べて、極めて容易に買物リストを作成することができる。
【００４０】
図１１は、買物メモアプリの新規作成画面５１の商品リストへの登録中の状態を示す図である。
商品登録後において新規作成画面５１の電子レシート表示ペイン７２には、買物リストに登録した商品について、その旨を示す新規登録マーク７２２が重畳表示される。この新規登録マーク７２２は、例えば確定ボタン７３３のタップにより既登録マーク７２１に変化する。
なお、前回までの買物メモの作成によって付加した既登録マーク７２１、即ち、今回の買物メモ作成開始時に既に付加されている既登録マーク７２１は、今回の買物メモの作成において該既登録マーク７２１の付加されている商品が買物リストに追加されたときには新規登録マーク７２２に一旦変化し、その後の確定ボタン７３３のタップにより再度既登録マーク７２１に変化する。例えば、図９に示す緑茶飲料は、前回までの買物メモの作成において買物リストに登録されたものであるため今回の買物メモの作成開始時には既に既登録マーク７２１が付加されている。そして、今回の買物メモの作成時に緑茶飲料が買物リストに追加されると、図１０に示すように、この既登録マーク７２１は新規登録マーク７２２に変化する。そして、確定ボタン７３３のタップにより再度既登録マーク７２１に変化する。また、買物リストから削除された場合には元の既登録マーク７２１に戻る。
図１１の買物メモ表示ペイン７３には、買物リストとして４個の商品情報が登録されている。各商品情報は、商品分類、メーカ名称、商品名称、サイズを含んで構成される。しかし、これに限られず、例えば商品価格など任意の情報を含んでもよい。
【００４１】
商品分類チェックボックス７３５は、個々の商品名には拘らず、商品分類が類似する商品を購入すればよいことを示している。本実施形態にて、商品分類が類似する商品とは、電子レシート上の商品分類が同一のものとする。例えば図１１では、「食パン」の商品分類チェックボックス７３５がチェックされているが、これは食パンに限られず、例えば任意種類のパンを購入してもよいことを意味する。つまり、メーカ名称、商品名称、サイズには拘らないことを意味する。このため、商品分類チェックボックス７３５がチェックされた場合には、メーカ名称チェックボックス７３６と商品名称チェックボックス７３７とサイズチェックボックス７３８にも、チェックが自動で追加される。
【００４２】
メーカ名称チェックボックス７３６は、メーカ名には拘らずに商品を購入してもよいことを示している。例えば図１１では、「箱ティッシュ」のメーカ名称チェックボックス７３６がチェックされているが、これはＦＧ製紙に限られず、任意のメーカの箱ティッシュを購入してもよいことに加え、更に商品名称も拘らないことを意味する。このため、メーカ名称チェックボックス７３６がチェックされた場合には、商品名称チェックボックス７３７にも、チェックが自動で追加される。
【００４３】
商品名称チェックボックス７３７は、商品名称には拘らずに商品を購入してもよいことを示している。サイズチェックボックス７３８は、サイズには拘らずに商品を購入してもよいことを示している。このように、顧客にとって拘りのない情報を指定することにより、買物リストと電子レシートの比較処理を適切に行い、顧客の考えに合致する買物残リスト１７３を作成可能である。即ち、買物終了後に発行される電子レシートと買物メモとの比較判定の際に、一致度のレベルを設定できる。
【００４４】
図１２は、買物メモアプリの買物チェック画面５２を示す図である。
買物チェック画面５２は、買物メモ表示ペイン７４、買物メモリスト表示ペイン７５を含み、更に決定ボタン５２１、比較ボタン５２２、編集ボタン５２３、削除ボタン５２４、戻るボタン５２５、終了ボタン５９を含んで構成される。
【００４５】
買物メモ表示ペイン７４は、購入店舗、商品分類、メーカ名称、サイズの各情報によって買物リストを表示している。買物リストにおいて、顧客が拘りを持っている情報は太字のフォントと下線で表示され、顧客が拘らない情報は斜体のフォントで表示されている。つまり買物リストにおいて、顧客が拘らない情報と拘りを持っている情報とが識別可能に表示されている。これにより顧客は、買物における商品の選択の幅を容易に把握可能である。なお顧客が拘らない情報は、グレー表示などとして目立たない表示とし、顧客が拘りを持っている情報は黒の太字などのように目立つようにするとよい。これにより顧客は、拘りを持っている情報にしたがって好適に買物を行える。
【００４６】
図１２の買物メモ表示ペイン７４にて、ポテトチップスと緑茶飲料（商品分類）は、メーカ名称欄と商品名称欄とサイズ欄とが太字のフォントと下線で示されている。これにより、ポテトチップスはＣＤＥ社（メーカ名称）のＨＩＪ（商品名称）の大袋を買うべきであること、緑茶飲料はＬＭ飲料（メーカ名称）のＫＬ（商品名称）の１．５リットルサイズを買うべきであることが把握可能である。
【００４７】
また、箱ティッシュ（商品分類）は、サイズ欄のみが太字のフォントと下線で示されている。これにより、箱ティッシュは５箱パックのものを購入すればよく、メーカ名称と商品名称は不問であることが把握可能である。更に食パン（商品分類）は、メーカ名称欄と商品名称欄とサイズ欄とが斜体でしめされている。これにより顧客は、食パンの購入にあたり、メーカ名称と商品名称とサイズは不問であることが把握できる。
【００４８】
買物メモ表示ペイン７４の買物リストは、上下方向のスライド操作によりスクロールさせることが可能である。この買物リストは購入店舗ごとにグループ化されている。これにより、どの店舗で買物をすればよいかを容易に把握可能である。
【００４９】
買物メモリスト表示ペイン７５は、過去に作成した買物メモをリスト形式で表示すると共に、顧客によって選択された買物メモを買物メモ表示ペイン７４に表示する。図１２では、０２１番の“２０１５．０４．０３−００１”が顧客によって選択されている。
決定ボタン５２１は、買物メモ表示ペイン７４に表示されている買物メモを、新たな買物における買物メモとして決定するボタンである。決定ボタン５２１のタップにより、図１３に示す買物メモ画面５２ａに遷移する。買物メモリスト表示ペイン７５は、上下方向のスライド操作によりスクロールさせることが可能であり、個々の買物メモのタップにより、その買物メモを選択して買物メモ表示ペイン７４に表示可能である。
【００５０】
比較ボタン５２２は、買物メモ表示ペイン７４に表示されている買物メモを任意の電子レシートと比較して、買物残リスト１７３を作成するためのボタンである。比較ボタン５２２のタップにより、図１５に示す買物残リスト画面５３に遷移する。また編集ボタン５２３は、買物メモ表示ペイン７４に表示されている買物メモを編集するためのボタンである。編集ボタン５２３のタップにより、不図示の編集画面に遷移する。
削除ボタン５２４は、買物メモ表示ペイン７４に表示されている買物メモを削除するためのボタンである。また戻るボタン５２５は、図９に示す初期画面５０に戻るためのボタンである。
【００５１】
図１３は、買物メモアプリの買物メモ画面５２ａを示す図である。
買物メモ画面５２ａは、図１２に示した買物メモ表示ペイン７４が画面内に大きく表示され、その下側に買物残通知チェックボックス５２６と、戻るボタン５２５とが表示される。顧客は、この買物メモ画面５２ａを参照しつつ買物を行う。
買物残通知チェックボックス５２６は、新たな電子レシートを受信するたびに買物残通知を表示するチェックボックスであり、デフォルトはチェック状態である。買物残通知チェックボックス５２６がチェックされているときに新たな電子レシートを受信すると、受信した電子レシートにより買物残リスト１７３を更新し、図１４に示す買物メモ比較画面５２ｂに遷移する。本実施形態のスマートフォン１は、サーバ３の電子レシートデータベース３１１の状態を監視して、新たな電子レシートが登録されたならば、その電子レシートを受信する。
戻るボタン５２５は、この買物メモ画面５２ａのひとつ前の画面に戻るためのボタンである。戻るボタン５２５のタップにより、図１２に示す買物チェック画面５２に遷移する。
【００５２】
図１４は、買物メモアプリの買物メモ比較画面５２ｂを示す図である。
買物メモ比較画面５２ｂには、買物メモ表示ペイン７４と、買物残リスト表示ペイン７６とが表示され、その下側に買物続行チェックボックス５２７と戻るボタン５２５とが表示される。
買物残リスト表示ペイン７６には、新たに受信した電子レシートと買物メモとを比較した結果が、買物残リストとして表示される。買物残リスト表示ペイン７６は、上下方向のスライド操作によりスクロールさせることが可能である。顧客は、この買物メモ比較画面５２ｂ上の買物メモと買物残リストにより、買い忘れがないか否かを容易に判断できる。
【００５３】
買物続行チェックボックス５２７は、更に買物を続行するか否かを指定するボタンであり、デフォルトはチェック状態である。この買物続行チェックボックス５２７をチェックすることにより、新たな電子レシートを更に受信したときに、この買物残リストを更新表示する。これにより顧客は、複数の店舗に分けて買物したときや、一店舗で複数回の買物をしたときでも、買い忘れがないことを容易に判断可能である。
戻るボタン５２５は、この買物メモ比較画面５２ｂのひとつ前の画面に戻るためのボタンである。この戻るボタン５２５のタップにより、図１３に示す買物メモ画面５２ａに遷移する。
【００５４】
図１５は、買物メモアプリの買物残リスト画面５３を示す図である。図１０の新規作成画面５１と同一の要素には同一の符号を付与している。
買物残リスト画面５３は、買物残リストを表示するための画面であり、図１０と同様な電子レシートリスト表示ペイン７１と電子レシート表示ペイン７２を含み、更に買物残リスト表示ペイン７６と、終了ボタン５９とを含んで構成される。
電子レシートリスト表示ペイン７１は、２０１５年４月５日のスーバーＰＱＲにおける電子レシートが選択されていることを示している。スマートフォン１は、この電子レシートと買物メモとを比較して、買い忘れである買物残リストを表示する。
【００５５】
電子レシート表示ペイン７２には、選択中の電子レシートの内容が示されている。
買物残リスト表示ペイン７６には、選択中の電子レシートと買物メモとを比較した結果である買物残リストが表示されている。図１５の買物残リスト表示ペイン７６には、緑茶飲料を買い忘れていることが表示されており、この緑茶飲料は、過去にスーパーＰＱＲにて購入したＬＭ飲料（メーカ名称）のＫＬ（商品名称）の１．５リットルサイズであることが併せて表示されている。
戻るボタン５２５は、この買物残リスト画面５３のひとつ前の画面に戻るためのボタンである。戻るボタン５２５のタップにより、図１３に示す買物メモ画面５２ａに遷移する。
【００５６】
図１６は、買物メモアプリのモード遷移図である。
顧客が買物メモアプリケーションプログラムを起動すると、モードＭ１０に遷移する。
モードＭ１０の初期画面５０（図９参照）にて、顧客が新規作成ボタン５０１をタップすると、モードＭ１１の買物メモの新規作成画面５１に遷移する。顧客が買物チェックボタン５０２をタップすると、モードＭ２０の買物チェック画面５２に遷移する。
【００５７】
モードＭ１１の買物メモの新規作成画面５１（図１０参照）にて、操作入力の検知が行われる（モードＭ１２）。
モードＭ１２にて確定ボタン７３３の操作が検知されると、買物メモを確定（モードＭ１３）したのちに、モードＭ１０の初期画面５０（図９参照）に戻る。これにより、作成中の買物メモが記憶部１７に格納される。
【００５８】
モードＭ１２にて戻るボタン７３４の操作が検知されると、そのままモードＭ１０の初期画面５０（図９参照）に戻る。これにより、作成中の買物メモは破棄される。
モードＭ１２にて削除ボタン７３２の操作が検知されると、選択中の買物メモの商品を削除（モードＭ１４）して、再びモードＭ１１の買物メモの新規作成画面５１（図１０参照）に戻る。なお、買物メモの商品選択は、その商品情報が表示された領域のタップにより行える。
モードＭ１２にて追加ボタン７３１の操作が検知されると、選択中の電子レシードの商品を買物リストに追加（モードＭ１５）して、再びモードＭ１１の買物メモの新規作成画面５１（図１０参照）に戻る。なお、電子レシードの商品選択は、その商品情報が表示された領域のタップにより行える。
【００５９】
モードＭ２０の買物チェック画面５２（図１２参照）にて、操作入力の検知が行われる（モードＭ２１）。
モードＭ２１にて決定ボタン５２１の操作が検知されると、モードＭ２２の買物メモ画面５２ａ（図１３参照）に遷移する。モードＭ２２にてスマートフォン１が新規レシートを受信すると、モードＭ２３の買物メモ比較画面５２ｂ（図１４参照）に遷移する。モードＭ２３にて新規レシートを受信した場合も、スマートフォン１は、モードＭ２３の買物メモ比較画面５２ｂを繰り返し表示する。
【００６０】
モードＭ２１にて比較ボタン５２２の操作が検知されると、モードＭ２４の買物残リスト画面５３（図１５参照）に遷移する。
モードＭ２１にて編集ボタン５２３の操作が検知されると、モードＭ２５の買物リスト編集画面（不図示）に遷移したのち、モードＭ２０の買物チェック画面５２に戻る。
モードＭ２１にて削除ボタン５２４の操作が検知されると、選択中の買物メモを削除（モードＭ２６）したのち、モードＭ２０の買物チェック画面５２に戻る。
【００６１】
図１７は、買物残リスト更新処理のフローチャートである。
例えば顧客が、図１３の買物メモを見ながら複数の店舗を周り、買い忘れをチェックしながら買物を行うときに、この買物残リスト更新処理が実行される。買物残リスト作成部４３（図４参照）は、例えば図１４の買物残リスト表示ペイン７６の表示にあたり、買物残リスト更新処理を実行する。
買物残リスト作成部４３は、買物残通知チェックボックス５２６（図１３参照）または買物続行チェックボックス５２７（図１４参照）を参照して、買物残通知を行うか否かを判断する（ステップＳ１０）。買物残リスト作成部４３は、買物残通知を行わないならば（ステップＳ１０→Ｎｏ）、図１７の処理を終了する。
【００６２】
ステップＳ１０にて買物残通知を行うならば（ステップＳ１０→Ｙｅｓ）、買物残リスト作成部４３は、新たな電子レシートが存在するか否かを判断する（ステップＳ１１）。このとき、顧客が新たな店舗などで新たな買物を行うと、新たな電子レシートが発行される。
【００６３】
ステップＳ１１にて、買物残リスト作成部４３は、新たな電子レシートが存在しないならば（ステップＳ１１→Ｎｏ）、ステップＳ１０の処理に戻り、新たな電子レシートが存在するならば（ステップＳ１１→Ｙｅｓ）、この新たな電子レシートを受信する（ステップＳ１２）。具体的にいうと、新たな電子レシートが存在するときとは、顧客が新たな買物を行ったときである。
更に買物残リスト作成部４３は、買物残リストを新たな電子レシートと比較して更新し（ステップＳ１３）、更新した買物残リストを買物残リスト表示ペイン７６に表示し（ステップＳ１４）、ステップＳ１０の処理に戻る。具体的にいうと、買物残リスト作成部４３は、この新たな買物の電子レシートと、買物残リストとを比較・更新し、更新した買物残リストを表示している。
【００６４】
つまり買物残リスト作成部４３は、買物残リストの作成後に取得した新たな電子レシートに記載された商品情報と、この買物残リストとを比較して、新たな買物残リストを作成する、買物残リスト作成部４３は、買物残リストの顧客が拘りを持っている情報が満たされる商品が新たな電子レシートに存在しているならば、この商品を買物残リストから削除する。このように処理することで、作成した買物メモと買物終了後に発行される一または複数の電子レシートとを比較して、買い忘れなどを顧客に知らせることができる。また、顧客が買物メモに登録した商品の代替商品を購入したとき、この商品の買物が終了したと判断して買物残リストから削除する。これにより、買物メモを日常的に使いやすくすることができる。
【００６５】
本発明は、上記実施形態に限定されることなく、本発明の趣旨を逸脱しない範囲で、変更実施が可能であり、例えば、次の（ａ）〜（ｈ）のようなものがある。
（ａ）  スマートフォン１は更に、作成した買物メモと各店舗の商品レイアウト情報とに基づいて、各商品の陳列位置のナビゲーションを行ってもよい。
（ｂ）  商品分類に拘らない場合における比較処理は、商品分類が類似する商品に関するデータベースの参照により実施してもよい。これにより、電子レシートで管理される商品分類と、顧客が考える商品分類とが乖離していたときであっても、顧客が考える商品分類に合致した買物残リストを作成することができる。
（ｃ）  上記実施形態では、買物リストにて顧客が拘らない情報にチェックさせているが、この反対に、顧客が拘りを持っている情報にチェックさせてもよい。
（ｄ）  過去に作成された買物メモにおける買物リストへの登録実績の有無を商品情報毎に識別可能なように電子レシート表示ペイン７２を表示する方法は、既登録マーク７２１などのアイコンに限られず、例えば色彩、文字フォントの種類やサイズ、下線などの文字修飾など、任意の方法であってもよい。
（ｅ）  上記実施形態では、電子レシートを登録実績順に表示するように構成されているが、これに限られず、電子レシートの参照履歴順にリスト表示するようにしてもよく、更に直近に表示されたものから順にリスト表示するようにしてもよい。
（ｆ）  上記実施形態では、スマートフォン１に買物メモアプリケーションがインストールされている。しかし、これに限られず、サーバ３に買物メモのＷｅｂサービスを実装して、このＷｅｂサービスをスマートフォン１のブラウザによって享受してもよく、装置の構成は限定されない。
（ｇ）  上記実施形態では、スマートフォン１は、ＰＯＳ端末２からサーバ３上の電子レシートデータベース３１を介して、各電子レシートを受信している。しかし、これに限られず、スマートフォン１は、例えばＰＯＳ端末２から近距離無線通信などの通信手段によって直接に電子レシートを受信してもよく、限定されない。
（ｈ）  上記実施形態では、スマートフォン１が電子レシートを受信し、買物メモと比較して買物残リストを作成している。しかし、スマートフォンに限られず、タブレット端末やノートパソコンなど任意種類の携帯端末であってもよく、限定されない。
【００６６】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
電子レシート上に記載された商品情報をユーザ操作に応じて買物リストに登録することにより買物メモを作成する買物メモ作成部と、
前記買物メモ作成部により過去に作成された買物メモにおける買物リストへの登録実績の有無を商品情報毎に識別可能なように前記電子レシートを表示する表示処理部と、
を備えたことを特徴とする買物支援装置。
＜請求項２＞
前記表示処理部は、作成中の買物メモにおける買物リストに商品情報が登録されたか否かが商品情報毎に識別可能なように前記電子レシートを表示する、
ことを特徴とする請求項１に記載の買物支援装置。
＜請求項３＞
前記買物メモの作成後に取得した新たな電子レシートに記載された商品情報と当該買物メモの買物リストに登録された商品情報とを比較して買物残リストを作成する買物残リスト作成部を備える、
ことを特徴とする請求項１または請求項２に記載の買物支援装置。
＜請求項４＞
前記買物残リスト作成部は、前記買物残リストの作成後に取得した新たな電子レシートに記載された商品情報と当該買物残リストとを比較して新たな買物残リストを作成する、
ことを特徴とする請求項３に記載の買物支援装置。
＜請求項５＞
前記表示処理部は、各電子レシートに記載された商品情報の買物リストへの登録実績に応じた順番で各前記電子レシートをリスト表示する、
ことを特徴とする請求項１ないし請求項４の何れか１項に記載の買物支援装置。
＜請求項６＞
前記表示処理部は、各電子レシートに記載された商品情報の買物リストへの登録回数が識別可能なように各前記電子レシートをリスト表示する、
ことを特徴とする請求項１ないし請求項５の何れか１項に記載の買物支援装置。
＜請求項７＞
電子レシートに記載された商品情報をユーザ操作に応じて買物リストに登録することにより買物メモを作成する買物メモ作成ステップと、
前記買物メモ作成ステップで過去に作成された買物メモにおける買物リストへの登録実績の有無が商品情報毎に識別可能なように前記電子レシートを表示する表示処理ステップと、
を有したことを特徴とする買物支援方法。
【符号の説明】
【００６７】
１  スマートフォン  （買物支援装置）
１５  タッチパネル  
１７１  電子レシート参照履歴
１７３  買物残リスト
１７４  買物リスト登録履歴
２  ＰＯＳ端末  
３  サーバ
３１  電子レシートデータベース
４１  表示処理部
４２  買物メモ作成部
４３  買物残リスト作成部
７２１  既登録マーク
７２２  新規登録マーク
【図１】
2019071096.tif 000003
【図２】
2019071096.tif 000004
【図３】
2019071096.tif 000005
【図４】
2019071096.tif 000006
【図５】
2019071096.tif 000007
【図６】
2019071096.tif 000008
【図７】
2019071096.tif 000009
【図８】
2019071096.tif 000010
【図９】
2019071096.tif 000011
【図１０】
2019071096.tif 000012
【図１１】
2019071096.tif 000013
【図１２】
2019071096.tif 000014
【図１３】
2019071096.tif 000015
【図１４】
2019071096.tif 000016
【図１５】
2019071096.tif 000017
【図１６】
2019071096.tif 000018
【図１７】
2019071096.tif 000019
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
電子レシート上に記載された複数の項目情報からなる商品情報をユーザ操作に応じて買物リストに登録する登録手段と、
前記登録手段により前記買物リストに登録された商品情報における前記複数の項目情報を、購入予定商品に対して一致させる必要のある項目情報と一致させる必要のない項目情報とに選別する選別手段と、
前記選別手段による選別結果に応じて前記購入予定商品に対して一致させる必要のある項目情報と一致させる必要のない項目情報とを識別可能に表示部に表示させる表示制御手段と、
を備えたことを特徴とする買物支援システム。
【請求項２】
前記表示制御手段は、前記一致させる必要のある項目情報を前記一致させる必要のない項目情報よりも強調して表示させる、
ことを特徴とする請求項１に記載の買物支援システム。
【請求項３】
前記表示制御手段は、前記買物リストに登録された商品情報を表示させる際に、当該商品情報における前記複数の項目情報の各々を、当該項目情報の種別を示す情報と対応付けて表示させる、
ことを特徴とする請求項１または２に記載の買物支援システム。
【請求項４】
電子レシート上に記載された複数の項目情報からなる商品情報をユーザ操作に応じて買物リストに登録する登録手段と、
前記登録手段により前記買物リストに登録された商品情報における前記複数の項目情報を、購入予定商品に対して一致させる必要のある項目情報と必要のない項目情報とに選別する選別手段と、
前記選別手段による選別後の購入に係る他の電子レシート上に、前記一致させる必要のある項目情報を含む商品情報が記載されているか否かを判別する判別手段と、
前記判別手段による判別結果を表示部に表示させる表示制御手段と、
を備えたことを特徴とする買物支援システム。
【請求項５】
前記表示制御手段は、前記判別手段により前記一致させる必要のある項目情報を含む商品情報が前記他の電子レシート上に記載されていないと判別された場合に、当該商品情報を購入すべき対象商品として表示させる、
ことを特徴とする請求項４に記載の買物支援システム。
【請求項６】
前記選別手段は、前記買物リスト上の前記複数の項目情報の中からユーザ操作により指定された項目情報を前記一致させる必要のない項目情報として選別する、
ことを特徴とする請求項１から５の何れか一項に記載の買物支援システム。
【請求項７】
電子レシート上に記載された複数の項目情報からなる商品情報をユーザ操作に応じて買物リストに登録する登録ステップと、
前記登録ステップにより前記買物リストに登録された商品情報における前記複数の項目情報を、購入予定商品に対して一致させる必要のある項目情報と一致させる必要のない項目情報とに選別する選別ステップと、
前記選別ステップによる選別結果に応じて前記購入予定商品に対して一致させる必要のある項目情報と一致させる必要のない項目情報とを識別可能に表示部に表示させる表示制御ステップと、
を含むことを特徴とする買物支援方法。
【請求項８】
電子レシート上に記載された複数の項目情報からなる商品情報をユーザ操作に応じて買物リストに登録する登録ステップと、
前記登録ステップにより前記買物リストに登録された商品情報における前記複数の項目情報を、購入予定商品に対して一致させる必要のある項目情報と一致させる必要のない項目情報とに選別する選別ステップと、
前記選別ステップによる選別後の購入に係る他の電子レシート上に、前記一致させる必要のある項目情報を含む商品情報が記載されているか否かを判別する判別ステップと、
前記判別ステップによる判別結果を表示部に表示させる表示制御ステップと、
を含むことを特徴とする買物支援方法。
【請求項９】
コンピュータを、
電子レシート上に記載された複数の項目情報からなる商品情報をユーザ操作に応じて買物リストに登録する登録手段、
前記登録手段により前記買物リストに登録された商品情報における前記複数の項目情報を、購入予定商品に対して一致させる必要のある項目情報と一致させる必要のない項目情報とに選別する選別手段、
前記選別手段による選別結果に応じて前記購入予定商品に対して一致させる必要のある項目情報と一致させる必要のない項目情報とを識別可能に表示部に表示させる表示制御手段、
として機能させることを特徴とするプログラム。
【請求項１０】
コンピュータを、
電子レシート上に記載された複数の項目情報からなる商品情報をユーザ操作に応じて買物リストに登録する登録手段、
前記登録手段により前記買物リストに登録された商品情報における前記複数の項目情報を、購入予定商品に対して一致させる必要のある項目情報と必要のない項目情報とに選別する選別手段、
前記選別手段による選別後の購入に係る他の電子レシート上に、前記一致させる必要のある項目情報を含む商品情報が記載されているか否かを判別する判別手段、
前記判別手段による判別結果を表示部に表示させる表示制御手段、
として機能させることを特徴とするプログラム。
【手続補正２】
【補正対象書類名】明細書
【補正対象項目名】０００７
【補正方法】変更
【補正の内容】
【０００７】
顧客は、買物を日常的に繰り返す。しかし、特許文献１の発明は、単発的に買物メモを作成することしか想定されていないため、買物メモの作成手順が煩雑であり、手書きのメモに対する優位性が明確ではない。
また、顧客は買物において、或る程度の許容範囲をもって商品を選択するものである。例えば同一種類の商品であればメーカを問わない、または同一カテゴリの商品であれば商品種別を問わない、などである。しかし、特許文献１の発明では、このような場合については何ら言及されておらず、機械的に買物メモと電子レシートを比較して不足商品を警告する。よって、顧客が買物メモに登録した商品とは異なる代替商品を購入したときであっても、この商品は不足商品として警告されてしまい、やや使いにくいものとなっている。
そこで、本発明は、買物リストを使いやすい態様で表示させることを課題とする。
【手続補正３】
【補正対象書類名】明細書
【補正対象項目名】０００８
【補正方法】変更
【補正の内容】
【０００８】
上記課題を解決するため、本発明の買物支援システムは、
電子レシート上に記載された複数の項目情報からなる商品情報をユーザ操作に応じて買物リストに登録する登録手段と、
前記登録手段により前記買物リストに登録された商品情報における前記複数の項目情報を、購入予定商品に対して一致させる必要のある項目情報と一致させる必要のない項目情報とに選別する選別手段と、
前記選別手段による選別結果に応じて前記購入予定商品に対して一致させる必要のある項目情報と一致させる必要のない項目情報とを識別可能に表示部に表示させる表示制御手段と、
を備えたことを特徴とする。
また、上記課題を解決するため、本発明の買物支援システムは、
電子レシート上に記載された複数の項目情報からなる商品情報をユーザ操作に応じて買物リストに登録する登録手段と、
前記登録手段により前記買物リストに登録された商品情報における前記複数の項目情報を、購入予定商品に対して一致させる必要のある項目情報と必要のない項目情報とに選別する選別手段と、
前記選別手段による選別後の購入に係る他の電子レシート上に、前記一致させる必要のある項目情報を含む商品情報が記載されているか否かを判別する判別手段と、
前記判別手段による判別結果を表示部に表示させる表示制御手段と、
を備えたことを特徴とする。
【手続補正４】
【補正対象書類名】明細書
【補正対象項目名】０００９
【補正方法】変更
【補正の内容】
【０００９】
本発明によれば、買物リストを使いやすい態様で表示させることができる。